(57)【要約】      （修正有）【課題】無線基地局の無線増幅部を冷却する冷却手段としてファンを用いる場合に発生する騒音を低減できる無線基地局を提供する。【解決手段】無線増幅器１Ａの温度を温度検出部１２により検出し、この検出された温度に基づき制御部４１が制御テーブルからファン２１に供給すべき印加電圧値及び制御ユニット４の動作に関する情報を決定する。そして、ファンユニット制御部２３は、制御部４１で決められた印加電圧値により、ファン２１を動作させる。また、消音システム制御部３６は、制御部４１で決められ動作に関する情報により、消音システムユニットの動作を制御し、情報が動作を行う情報の場合には、騒音検出部３２でファン２１の騒音を検出し、この騒音の逆位相波形を逆位相波形生成部３３で生成し、逆位相波形出力部３４及びスピーカ３５から逆位相波形を出力する。【選択図】図２
2005033316.tif 000002
【特許請求の範囲】
【請求項１】
送信信号を増幅する無線増幅手段と、前記無線増幅手段を冷却する冷却手段と、前記無線増幅手段の温度を検出する温度検出手段と、前記温度検出手段により検出された温度に応じて前記冷却手段を制御する制御手段と、前記冷却手段が発生する騒音を検出する騒音検出手段と、前記騒音検出手段により検出された騒音と逆位相の波形を生成する逆波形生成手段と、前記逆波形生成手段で生成された逆位相の波形を出力する出力手段とを有することを特徴とする無線基地局。
【発明の詳細な説明】
【０００１】
【発明の属する技術分野】
本発明は、送信信号を増幅して送信する無線基地局に係り、特に、無線基地局の無線増幅部を冷却するための冷却手段による騒音を低減できる無線基地局に関するものである。
【０００２】
【従来の技術】
従来の無線基地局は、送信信号を増幅させる無線増幅部と、この無線増幅器を冷却するファン部とを備えている。このファン部の冷却能力は、ファンの羽形状や回転数によって異なっており、ファンの回転数は、供給される印加電圧値によって決定される。
【０００３】
ところが、従来の無線基地局では、ファン部が所定の冷却能力を有するように、ファン部に一定の電圧が供給されているため、無線増幅器の発熱量が少ない場合には、過剰に冷却してしまうという問題点があった。また、無線増幅部の発熱量が多い場合には、温度上昇を抑制できないという問題点があった。
【０００４】
このような問題点を解決するために、無線増幅部の温度を検出し、検出された温度に基づいて、ファンに供給する電圧を制御することにより、ファンの回転数を制御して、無線増幅部の発熱量に応じた冷却を行う無線基地局が開示されている（例えば、特許文献１参照。）。
【０００５】
【特許文献１】
特開２００３−８７１２８号公報（第３頁〜第４頁、図１〜図３）
【０００６】
【発明が解決しようとする課題】
しかしながら、従来の無線基地局では、無線増幅部の発熱量が大きい場合に、冷却効率を高めるために冷却ファンの回転数を上げると、この冷却ファンから発生する騒音が大きくなってしまうという問題点があった。
【０００７】
そこで、本発明は、上記課題を解決することができる無線基地局を提供することを目的とする。
【０００８】
【課題を解決するための手段】
本発明は上記目的を達成するために、無線基地局は、送信信号を増幅する無線増幅手段と、増幅手段を冷却する冷却手段と、増幅手段の温度を検出する温度検出手段と、温度検出手段により検出された温度に応じて前記冷却手段を制御する制御手段と、冷却手段が発生する騒音を検出する騒音検出手段と、騒音検出手段により検出された騒音と逆位相の波形を生成する逆波形生成手段と、逆波形生成手段で生成された逆位相の波形を出力する逆位相波形出力手段とを有している。
【０００９】
冷却手段は、冷却風を送風するファンを有しており、供給される電圧に応じて回転数を調整することにより、風量を制御する。
【００１０】
騒音検出手段は、センサマイク等で入力した、騒音を検出する機能を有し、逆位相波形出力手段はスピーカを有しており、スピーカから出力された逆位相波形と冷却手段が発生する騒音とが、音波干渉されて、騒音が低減する。
【００１１】
【発明の実施の形態】
本発明の実施の形態を図面を参照して、具体的に説明する。図１は、本発明の一実施の形態に係る無線基地局１０の構成を示す図であり、無線基地局１０は、複数の無線増幅器１Ａ〜１Ｆと、これら複数の無線増幅器１Ａ〜１Ｆを冷却するファンユニット（冷却ファンユニット）２と、このファンユニットから発生される騒音を消去する消去システムユニット３と、これらの複数の無線増幅器１Ａ〜１Ｆ、ファンユニット２及び消去システムユニット３を制御する制御ユニット４とを備える。
【００１２】
ここで、無線増幅器１Ａ〜１Ｆの数量及び配置位置は、これに限定するものでなく、単数であっても複数であっても良く、また、配置位置はファンユニットの上に構成されていれば良く、無線増幅器は縦置きであっても横置きであっても良い。また、制御ユニット４の配置位置は、必ずしも無線増幅器の横に位置していなくても構わない。また、上記構成以外に、無線増幅器の信号を分配及び合成する分配・合成ユニット等の構成があっても構わない。
【００１３】
図２は、本発明の一実施例の形態に係る無線基地局１０の機能構成例を示す図であり、無線基地局１０は、上記したように、複数の無線増幅器１Ａ〜１Ｆと、これら複数の無線増幅器１Ａ〜１Ｆを冷却するファンユニット２と、このファンユニットから発生される騒音を消去する消去システムユニット３と、これらの複数の無線増幅器１Ａ〜１Ｆ、ファンユニット２及び消去システム３を制御する制御ユニット４とで構成される。
【００１４】
上記無線無線増幅器１Ａ〜１Ｆは、それぞれ、送信信号を増幅する無線部１１と、この無線部１１の温度を検出する温度検出部１２と、無線部１１及び温度検出部を制御する無線増幅器制御部１３とを備える。温度検出部１２は、例えば、温度センサや温度ＩＣ等のより構成され、検出した温度を電圧値に変換する機能を有し、上記無線増幅器制御部１３は、温度検出部１２で電圧値に変換された温度情報を後述する制御ユニット４を送信する機能有している。
【００１５】
また、ファンユニット２は、上記無線増幅器１Ａ〜１Ｆを冷却するための冷却風を発生するファン２１と、このファン２１に電源を供給するファン部電源供給部２２と、このファン部電源供給部の２２を制御するファンユニット制御部２３とで構成される。上記ファン２１は、上記ファン部電源供給部２２から供給される印加電圧に応じて、回転数が可変する。
【００１６】
また、消音システムユニット３は、例えば、上記ファンユニット２のダクト（空気撮り入れ部分）の内部に設置され、ダクト内に発生するファン２１の騒音を入力するセンサマイク３１と、このセンサマイクに入力された騒音を検出する騒音検出部３２と、この騒音検出部３２で検出されたファン２１の騒音と逆位相の波形を生成する逆位相波形生成部３３と、この逆位相波形生成部で生成された逆位相波形をスピーカ３５を介して出力する逆位相波形出力部３４と、上記消音システムユニット内の各部を制御する制御部３６で構成される。本発明の基地局では、消去システムユニット３をダクト内に設置しているが、ダクト内にはセンサマイク３１のみを設置し、他の構成は、ダクト内に設置しない構成であっても構わない。
【００１７】
また、制御ユニット４は、上記無線基地局の各部の監視及び制御を行う制御部４１と、上記複数の無線増幅器１Ａ〜１Ｆの温度に対応する検出電圧情報と上記ファンユニット２に供給する印加電圧情報と消音システムユニット３の動作をＯＮ／ＯＦＦ制御する制御情報とを対応付けて格納する制御テーブル４２で構成される。
【００１８】
この制御テーブル４２は、図３に示すように、検出電圧値と印加電圧値と騒音システムユニットのＯＮ／ＯＦＦとの関係テーブルであって、無線増幅器の内部の温度に対応する電圧値である検出電圧値Ｘ［Ｖ］（検出温度情報）を格納するエリアと、ファン２１に印加する電圧値である印加電圧値Ｙ［Ｖ］（印加電圧情報）を格納するエリアと、消音システムユニットを制御する制御情報である消音システムＯＮ／ＯＦＦ（制御情報）を格納するエリアで構成されている。検出電圧値Ｘは、Ａ＜Ｂ＜Ｃ＜Ｄの関係にあり、印加電圧値Ｙは、α＜β＜γの関係にある。
【００１９】
具体的には、検出電圧値Ｘが「Ａ≦Ｘ＜Ｂ」であり、印加電圧が「α」の場合には、消音システムの動作を停止する「ＯＦＦ」の制御情報が格納され、検出電圧値Ｘが「Ｂ≦Ｘ＜Ｃ」であり、印加電圧が「β」の場合には、消音システムの動作を停止する「ＯＦＦ」の制御情報が格納され、検出電圧値Ｘが「Ｃ≦Ｘ＜Ｄ」であり、印加電圧がγの場合には、消音システムを動作させる「ＯＮ」の制御情報が格納されている。
【００２０】
このように、検出電圧値Ｘに基づき、ファン２１への供給すべき印加電圧及び消音システムユニットの動作の制御が決定され、例えば、検出電圧値Ｘが「Ａ≦Ｘ＜Ｂ」の範囲の場合には、ファン２１に供給する印加電圧値Ｙが「α」、消音システムの動作が「ＯＦＦ」と決定され、検出電圧Ｘが「Ｃ≦Ｘ＜Ｄ」の範囲の場合には、ファン２１に供給する印加電圧値Ｙが「β」、消音システムの動作が「ＯＮ」と決定される。
【００２１】
ここで、制御ユニット４の制御部４１は、上記検出電圧値Ｘの値としては、各無線増幅器１Ａ〜１Ｆから送信される温度情報を平均して検出電圧値Ｘとする方法、各無線増幅器１Ａ〜１Ｆから送信される温度情報の中から最大値を検出電圧値Ｘとする方法、各無線増幅器１Ａ〜１Ｆから送信される温度情報の中から最小値を検出電圧値Ｘとする方法、また、各無線増幅器１Ａ〜１Ｆから送信される温度情報の中から任意の１つを検出電圧値Ｘとする方法等、種々ば方法が考えられる。
【００２２】
また、本発明では、無線増幅器１Ａ〜１Ｆの全てに温度検出部１２を設ける構成としているが、必ずしも全ての無線増幅器に温度検出部を設けなくてもよい。すなわち、上記無線増幅器１Ａ〜１Ｆの任意の１つに温度検出部を設けて、この温度検出部が設けられた無線増幅器からの検出電圧値（温度情報）により制御を行うようにしても構わない。
【００２３】
次に、本発明の無線基地局１０の動作を具体的に説明する。ます、無線増幅器１Ａ〜１Ｆの温度センサ等からなる温度検出部１２が無線増幅器の温度を検出し、検出した温度を電圧値に変換して無線部制御部１３に出力する。無線部制御部１３は、電圧値に変換された検出電圧値（温度情報）を制御ユニット４の制御部４１に送信する。制御ユニット４の制御部４１は、検出電圧値（温度情報）を受信して、制御テーブル４２を参照して、受信した検出電圧値（温度情報）に基づいて、ファンユニット２のファン２１に供給すべき印加電圧と消音システムユニットを動作させるか否かの情報を取得する。そして、制御部４１は、取得した印加電圧値をファンユニット２に送信し、取得した消音システムの動作に関する制御信号を消音システムユニット３に送信する。
【００２４】
上記制御部４１からの印加電圧値を受信したファンユニット２のファンユニット２のファンユニット制御部２３は、受信した印加電圧値をファン部電源供給部２２に出力し、このファン部電源供給部２２が、ファンユニット制御部２３からの印加電圧値に基づいて、ファン２１に供給する印加電圧を調整する。ファン２１は、ファン部電源供給部２２から供給される印加電圧に対応した回転数で、冷却風を発生して無線増幅器１Ａ〜１Ｆ及び装置内全体を冷却する。
【００２５】
また、上記制御部４１からの消音システムの動作に関する制御信号を受信した消音システムユニット４の消音システム制御部３６は、制御信号に従って、動作を行う。制御信号が動作を示す「ＯＮ」の場合には、騒音検出部３２がセンサマイク３１からファン内部のダクト内で発生している騒音を検出し、検出した騒音を逆位相波形生成部３３に出力する。そして、逆位相波形生成部３３は、騒音検出部３２が検出した騒音に基づいて、検出した騒音の逆位相の波形を生成して逆位相波形出力部３４出力する。逆位相波形出力部３４及びスピーカ３５は生成された騒音とは逆位相の波形を出力する。これにより、ファン２１の回転動作により発生する騒音とスピーカ３５が出力する騒音とは逆位相の波形とが音波干渉して、騒音が低減される。
【００２６】
また、上記上記制御部４１からの消音システムの動作に関する制御信号が制御信号が動作の停止を示す「ＯＦＦ」の場合には、消音システム制御部３６は、消音システムユニット内の各部への電源供給を行わないことにより、各部が動作を停止する。
【００２７】
このように、本発明では、無線増幅器の温度が高くなり、これに応じてファンの回転数も高くなり、ファンが発生する騒音が問題になった時のみ、消音システムユニットを動作させることでファンの発生する騒音を押さえることができ、また、ファンの回転が低く、騒音が問題とならないときには、消音システムユニットの動作を停止されることで、無駄な電力消費を抑えることができる。
【００２８】
図４は、本発明における無線基地局のファン２１とセンサマイク３１とスピーカ３５の配置の一例を示す図である。センサマイク３１は、ファン２１の回転により発生される騒音を検出しやすい位置に配置し、また、スピーカ３５は、ファン２１の回転により発生される騒音を打ち消しやすい位置に配置するが、ファン２１、センサマイク３１及びスピーカ３５の数及び配置位置は、装置の形状や大きさによって適宜選択すればよい。
【００２９】
【発明の効果】
以上説明したように、本発明の無線基地局では、無線増幅器を冷却するファンが発生する騒音を抑えることができ、また、無駄な電力消費を抑えることができるという効果を奏する。
【図面の簡単な説明】
【図１】本発明の一実施の形態に係る無線基地局の構成を示す図である。
【図２】本発明の一実施の形態に係る無線基地局の機能構成例を示す図である。
【図３】検出電圧値と印加電圧値と騒音システムユニットのＯＮ／ＯＦＦとの関係テーブルである。
【図４】本発明の一実施の形態に係る無線基地局のファンとセンサマイクとスピーカの配置の一例を示す図である。
【符号の説明】
１Ａ〜１Ｆ…無線増幅部、２…ファンユニット、３…消音システムユニット、
４…制御ユニット、１１…無線部、１２…温度検出部、１３…無線増幅器制御部、
２１…ファン、２２…ファン部電源供給部、２３…ファンユニット制御部、
３１…センサマイク、３２…騒音検出部、３３…逆位相波形生成部、
３４…逆位相波形出力部、３５…スピーカ、３６…消音システム制御部、
４１…制御部、４２…制御テーブル
【図１】
2005033316.tif 000003
【図２】
2005033316.tif 000004
【図３】
2005033316.tif 000005
【図４】
2005033316.tif 000006